(57)【要約】      （修正有）【課題】デジタル検版処理を依頼する検版依頼者端末と、デジタル検版処理を行うデジタル検版ＡＳＰとがネットワークを介して接続されたデジタル検版ＡＳＰシステムを提供すること。【解決手段】検版依頼者端末とネットワークを介してアクセス可能なデジタル検版ＡＳＰを有し、前記デジタル検版ＡＳＰが、ファイル転送サーバーとデジタル検査装置とを備え、前記ファイル転送サーバーは、前記検版依頼者端末から初校データと再校データとを受信し保存する入力データ保存手段と、前記デジタル検査装置から処理データを入手し、所定の検版依頼者端末に送信する処理データ保存送信手段を有し、前記デジタル検査装置は、ファイル転送サーバーに保存された初校データと再校データを取得し、デジタル画像データに変換するデータ取得変換手段と、前記変換されたデジタル画像データを検査して、結果をファイル転送サーバーに送信する画像検査送信手段とを有する。【選択図】図１−１
2006023811.tif 000002
【特許請求の範囲】
【請求項１】
検版依頼者が有する送信端末および受信端末とネットワークを介してアクセス可能なデジタル検版ＡＳＰを有するデジタル検版ＡＳＰシステムであって、
前記デジタル検版ＡＳＰが、ファイル転送サーバーとデジタル検査装置とを備え、
前記ファイル転送サーバーは、前記送信端末から初校データと再校データとを受信し、検版依頼者ごとに保存する入力データ保存手段と、
前記デジタル検査装置から処理データを入手したときには、検版依頼者ごとに保存するとともに所定の受信端末に送信する処理データ保存送信手段を有し、
前記デジタル検査装置は、ファイル転送サーバーを監視するとともに、ファイル転送サーバーに保存された初校データと再校データを認識したときはこれらのデータを取得し、取得したデータをデジタル画像データに変換するデータ取得変換手段と、
前記データ取得変換手段によって変換されたデジタル画像データを検査して、その検査結果をデータとして作成するとともに、検査結果データをファイル転送サーバーに送信する画像検査送信手段とを有する
ことを特徴とするデジタル検版ＡＳＰシステム。
【請求項２】
検版依頼者が有する送信端末および受信端末と、これらとネットワークを介してアクセス可能なデジタル検版ＡＳＰとからなるデジタル検版ＡＳＰシステムであって、
前記デジタル検版ＡＳＰが、ファイル転送サーバーとデジタル検査装置とを備え、
前記送信端末は、入力された初校データと再校データとを認識したときに、これらをファイル転送サーバーに送信する送信手段を有し、
前記ファイル転送サーバーは、受信したデータを検版依頼者ごとに保存するデータ保存手段を有し、
前記デジタル検査装置は、ファイル転送サーバーを監視するとともに、ファイル転送サーバーに保存された初校データと再校データを認識したときはこれらのデータを取得し、取得したデータをデジタル画像データに変換するデータ取得変換手段と、
前記データ取得変換手段によって変換されたデジタル画像データを検査して、その検査結果をデータとして作成するとともに、検査結果データをファイル転送サーバーに送信する画像検査送信手段とを有し、
前記受信端末は、ファイル転送サーバーを監視し、ファイル転送サーバーに保存された検査結果データを認識したときは、その検査結果データを取得する処理データ取得手段を有する
ことを特徴とするデジタル検版ＡＳＰシステム。
【請求項３】
前記送信端末は、
入力された初校データおよび再校データに関する所定の情報を収集し、この所定の情報と検版依頼者に付与された認識情報とを有する情報データを作成する情報データ作成手段を有することを特徴とする請求項１または２に記載のデジタル検版ＡＳＰシステム。
【請求項４】
前記検版依頼者が有する端末が、前記送信端末の機能および受信端末の機能を有する送受信端末であることを特徴とする請求項１〜３のいずれかに記載のデジタル検版ＡＳＰシステム。
【請求項５】
前記送信手段は、初校データと再校データを、前記情報データ作成手段が作成した情報データとともにファイル転送サーバーに送信することを特徴とする請求項２〜４のいずれかに記載のデジタル検版ＡＳＰシステム。
【請求項６】
前記送信手段は、初校データと再校データを圧縮し、圧縮された初校・再校データを前記情報データとともにファイル転送サーバーに送信することを特徴とする請求項５に記載
のデジタル検版ＡＳＰシステム。
【請求項７】
前記送信手段は、初校・再校データを前記情報データとともに暗号化してファイル転送サーバーに送信することを特徴とする請求項５または６に記載のデジタル検版ＡＳＰシステム。
【請求項８】
前記データ取得変換手段は、
ファイル転送サーバーを監視するとともに、ファイル転送サーバーに保存された圧縮されたデータを認識したときはそのデータを取得し、
その圧縮されたデータを伸張し、
伸張した初校・再校データをデジタル画像データに変換することを特徴とする請求項１または２に記載のデジタル検版ＡＳＰシステム。
【請求項９】
前記データ取得変換手段は、
ファイル転送サーバーを監視するとともに、ファイル転送サーバーに保存された暗号化されたデータを認識したときはそのデータを取得し、
その暗号化されたデータを復号化し、
復号化した初校・再校データをデジタル画像データに変換することを特徴とする請求項１、２または８に記載のデジタル検版ＡＳＰシステム。
【請求項１０】
前記データ取得変換手段は、ファイル転送サーバーからデータを取得するとともに、所定のログデータを作成することを特徴とする請求項１または２に記載のデジタル検版ＡＳＰシステム。
【請求項１１】
前記データ取得変換手段は、ファイル転送サーバーから取得したデータをデジタル画像データに変換するとともに、このデジタル画像データの検査を行うための所定の指示データを作成することを特徴とする請求項１または２に記載のデジタル検版ＡＳＰシステム。
【請求項１２】
前記画像検査送信手段は、前記指示データに基づいて、
デジタル初校データとデジタル再校データとを検査して検査結果データを作成し、
この検査結果データを圧縮してファイル転送サーバーに送信することを特徴とする請求項１１に記載のデジタル検版ＡＳＰシステム。
【請求項１３】
前記画像検査送信手段は、前記指示データに基づいて、
デジタル初校データとデジタル再校データとを検査して検査結果データを作成し、
この検査結果データを暗号化してファイル転送サーバーに送信することを特徴とする請求項１１または１２に記載のデジタル検版ＡＳＰシステム。
【請求項１４】
前記画像検査送信手段は、検査結果データをファイル転送サーバーに送信するとともに、所定の検版作業ログデータを作成することを特徴とする請求項１または２に記載のデジタル検版ＡＳＰシステム。
【請求項１５】
前記デジタル検査装置は、
一連のデジタル検版を行った際に作成される所定のログデータに基づき、検版依頼者ごとにログデータを作成する検版依頼者別ログデータ作成手段を有することを特徴とする請求項１または２に記載のデジタル検版ＡＳＰシステム。
【請求項１６】
前記検版依頼者別ログデータは、
請求項１０に記載のログデータと、請求項１４に記載の検版作業ログデータとから作成されていることを特徴とする請求項１５に記載のデジタル検版ＡＳＰシステム。
【請求項１７】
前記デジタル検査装置は、
該装置におけるデジタル検版処理に伴なう検版依頼者への課金のための処理を行なう課金手段を有することを特徴とする請求項１または２に記載のデジタル検版ＡＳＰシステム。
【請求項１８】
前記課金手段が、前記検版依頼者別ログデータに基づき課金処理を行うことを特徴とする請求項１７に記載のデジタル検版ＡＳＰシステム。
【請求項１９】
前記処理データ取得手段は、
ファイル転送サーバーを監視するとともにデジタル検査装置から送信された圧縮されたデータを認識したときは、そのデータを取得し、
取得したデータを伸張することを特徴とする請求項２に記載のデジタル検版ＡＳＰシステム。
【請求項２０】
前記処理データ取得手段は、
ファイル転送サーバーを監視するとともにデジタル検査装置から送信された暗号化されたデータを認識したときは、そのデータを取得し、
取得したデータを復号化することを特徴とする請求項２に記載のデジタル検版ＡＳＰシステム。
【請求項２１】
検版依頼者が有する送信端末および受信端末とネットワークを介してアクセス可能なデジタル検版ＡＳＰを有し、前記デジタル検版ＡＳＰが、ファイル転送サーバーとデジタル検査装置とを備えるシステムにおけるデジタル検版方法であって、
前記ファイル転送サーバーにおいて、前記送信端末から初校データと再校データとを受信し、検版依頼者ごとに保存する入力データ保存ステップと、
前記入力データ保存ステップでファイル転送サーバーに保存された初校・再校データをデジタル検査装置によって取得するデータ取得ステップと、
前記データ取得ステップで取得したデータをデジタル検査装置においてデジタル画像データに変換するデータ変換ステップと、
前記データ変換ステップで作成されたデジタル画像データを検査して、その検査結果をデジタル検査装置において検査結果データとして作成する画像検査ステップと、
画像検査ステップにおいて作成された検査結果データをファイル転送サーバーに送信する検査結果データ送信ステップと、
ファイル転送サーバーにおいて、前記検査結果データ送信ステップにおいて送信された検査結果データを、検版依頼者ごとに保存する処理データ保存ステップと、
前記処理データ保存ステップでファイル転送サーバーに保存された検査結果データを所定の受信端末に送信する処理データ送信ステップと、
を有することを特徴とするネットワークを介したデジタル検版方法。
【請求項２２】
検版依頼者が有する送信端末および受信端末と、これらとネットワークを介してアクセス可能なデジタル検版ＡＳＰとからなり、前記デジタル検版ＡＳＰが、ファイル転送サーバーとデジタル検査装置とを備えるシステムにおけるデジタル検版方法であって、
前記検版依頼者が、送信端末において初校・再校データを入力するデータ入力ステップと、
前記データ入力ステップにおいて入力された該データをファイル転送サーバーに送信する送信ステップと、
ファイル転送サーバーにおいて、前記送信ステップにおいて送信された初校・再校データを、検版依頼者ごとに保存する入力データ保存ステップと、
前記入力データ保存ステップでファイル転送サーバーに保存された初校・再校データを
デジタル検査装置によって取得するデータ取得ステップと、
前記データ取得ステップで取得したデータをデジタル検査装置においてデジタル画像データに変換するデータ変換ステップと、
前記データ変換ステップで作成されたデジタル画像データを検査して、その検査結果をデジタル検査装置において検査結果データとして作成する画像検査ステップと、
画像検査ステップにおいて作成された検査結果データをファイル転送サーバーに送信する検査結果データ送信ステップと、
ファイル転送サーバーにおいて、前記検査結果データ送信ステップにおいて送信された検査結果データを、検版依頼者ごとに保存する処理データ保存ステップと、
前記処理データ保存ステップでファイル転送サーバーに保存された検査結果データを受信端末によって取得する処理データ取得ステップと
を有することを特徴とするネットワークを介したデジタル検版方法。
【請求項２３】
前記送信ステップは、入力された初校データと再校データを、所定の情報データとともにファイル転送サーバーに送信する送信ステップであって、
前記情報データが、入力された初校データおよび再校データに関する情報を送信端末において収集し、この情報と検版依頼者に付与された認識情報とを有する情報データを作成する情報データ作成ステップにおいて作成されたことを特徴とする請求項２２に記載のネットワークを介したデジタル検版方法。
【請求項２４】
前記検版依頼者が有する端末が、前記送信端末の機能および受信端末の機能を有する送受信端末であることを特徴とする請求項２１〜２３のいずれかに記載のネットワークを介したデジタル検版方法。
【請求項２５】
前記送信ステップは、圧縮されたデータをファイル転送サーバーに送信する送信ステップであって、
前記圧縮されたデータが、前記初校データと再校データとを圧縮するデータ処理ステップにおいて作成されたことを特徴とする請求項２２〜２４のいずれかに記載のネットワークを介したデジタル検版方法。
【請求項２６】
前記送信ステップは、暗号化されたデータをファイル転送サーバーに送信する送信ステップであって、
前記暗号化されたデータが、前記初校・再校データを前記情報データとともに暗号化するデータ処理ステップにおいて作成されたことを特徴とする請求項２２〜２５のいずれかに記載のネットワークを介したデジタル検版方法。
【請求項２７】
前記データ取得ステップは、ファイル転送サーバーに保存された圧縮データをデジタル検査装置によって取得するステップであって、
その圧縮データをデジタル検査装置において伸張するデータ復元ステップをさらに有することを特徴とする請求項２５に記載のネットワークを介したデジタル検版方法。
【請求項２８】
前記処理データ取得ステップは、ファイル転送サーバーに保存された暗号化データをデジタル検査装置によって取得するステップであって、
その暗号化されたデータをデジタル検査装置において復号化するデータ復元ステップをさらに有することを特徴とする請求項２５または２６に記載のネットワークを介したデジタル検版方法。
【請求項２９】
デジタル検査装置において、データ復元ステップで伸張および／または復号化されたデータから所定のログデータを作成するログデータ作成ステップを有することを特徴とする請求項２７または２８に記載のネットワークを介したデジタル検版方法。
【請求項３０】
デジタル検査装置においてデータ変換ステップでデジタル画像データに変換された初校・再校データの検査を行うための所定の指示データを作成する指示データ作成ステップを有することを特徴とする請求項２１〜２９のいずれかに記載のネットワークを介したデジタル検版方法。
【請求項３１】
前記画像検査ステップは、前記指示データ作成ステップにおいて作成された指示データに基づいて、デジタル初校データとデジタル再校データとを検査して、その検査結果をデジタル検査装置において検査結果データとして作成するステップであることを特徴とする請求項３０に記載のネットワークを介したデジタル検版方法。
【請求項３２】
前記検査結果データ送信ステップは、圧縮された検査結果データをファイル転送サーバーに送信する送信ステップであって、
前記圧縮された検査結果データが、デジタル検査装置において検査結果データを圧縮するデータ処理ステップにおいて作成されたことを特徴とする請求項２１または２２に記載のネットワークを介したデジタル検版方法。
【請求項３３】
前記検査結果データ送信ステップは、暗号化された検査結果データをファイル転送サーバーに送信する送信ステップであって、
前記暗号化された検査結果データが、デジタル検査装置において検査結果データを暗号化するデータ処理ステップにおいて作成されたことを特徴とする請求項２１、２２または３２に記載のネットワークを介したデジタル検版方法。
【請求項３４】
前記検査結果データ送信ステップは、検査結果データをファイル転送サーバーに送信するとともに、デジタル検版における所定の動作履歴情報が記載された検版作業ログデータを作成するステップであることを特徴とする請求項２１または２２に記載のネットワークを介したデジタル検版方法。
【請求項３５】
前記デジタル検査装置において、
一連のデジタル検版を行った際に作成される所定のログデータに基づき、検版依頼者ごとにログデータを作成する検版依頼者別ログデータ作成ステップを有することを特徴とする請求項２１または２２に記載のネットワークを介したデジタル検版方法。
【請求項３６】
前記検版依頼者別ログデータは、
請求項２９に記載のログデータと、請求項３４に記載の検版作業ログデータとから作成されていることを特徴とする請求項３５に記載のネットワークを介したデジタル検版方法。
【請求項３７】
前記デジタル検査装置において、
デジタル検版処理に伴なう検版依頼者への課金のためのデータを作成する課金データ作成ステップと、
前記課金データ作成ステップにおいて作成された課金データをファイル転送サーバーに送信する送信ステップと
を有することを特徴とする請求項２１または２２に記載のネットワークを介したデジタル検版方法。
【請求項３８】
前記課金データ作成ステップは、前記検版依頼者別ログデータ作成ステップにおいて作成された検版依頼者別ログデータに基づき課金データ作成を行うステップであることを特徴とする請求項３５に記載のネットワークを介したデジタル検版方法。
【請求項３９】
前記受信端末において、圧縮されたデータをファイル転送サーバーから取得したときは、取得したデータを伸張するデータ復元ステップを有することを特徴とする請求項２２に記載のネットワークを介したデジタル検版方法。
【請求項４０】
前記受信端末において、暗号化されたデータをファイル転送サーバーから取得したときは、取得したデータを復号化するデータ復元ステップを有することを特徴とする請求項２２または３９に記載のネットワークを介したデジタル検版方法。
【発明の詳細な説明】
【技術分野】
【０００１】
本発明は、デジタル検版処理を依頼する検版依頼者が有する端末と、デジタル検版処理を行うデジタル検版ＡＳＰ（Application Service Provider）とがネットワークを介して相互に通信可能に接続されたデジタル検版ＡＳＰシステムに関する。
【背景技術】
【０００２】
従来から、物を製造する製造業においては、製造過程で発生するミスは製造物の欠陥となるため損失となり利益の減少につながる。このような製造業のうちでも特に印刷業においては、印刷物の誤植（印刷ミス）は、例えば「印刷物の再発行」や「購入者への連絡や印刷物の交換」、あるいは「入試問題の出題ミス」などの問題を引き起こし、企業利益の減少を招くことはいうまでもなく、さらにその企業の信頼性までもが問われかねない。
【０００３】
この印刷物の誤植は、印刷工程におけるデータ作成時や修正時に発生するミスによるものがほとんどであり、その損失は明らかになっているものだけでも、企業の総売上高の１％程度にも達するといわれる。
【０００４】
印刷物の誤植を引き起こす印刷工程でのミスは、ＤＴＰ（Desktop Publishing）において発生する人為的なものも当然に存在するが、
１）過度のコスト競争に伴う印刷作業のスピードアップ化、
２）印刷処理のデジタル化に伴い発生するデジタルデータの予期せぬ変化、
３）省力化への取り組みにより、印刷作業の自動処理化が多岐にわたって進み、処理工程が見えないことになどによる、予期せぬミスの発生
などからも大きく影響を受けていると考えられる。
【０００５】
このような印刷工程におけるミスを未然に防止するものとして、修正前のデータ（初校データ）と修正後のデータ（再校データ）とをデジタル画像データに変換し、これらのデジタル画像データを検査するデジタル検査装置が提案されている（例えば、特許文献１，２参照）。このデジタル検査装置においては、デジタル画像データを検査し差異点を検出するため、より迅速に検版作業が行え、正確な検版結果を得ることができる。
【０００６】
しかしながら、このようなデジタル検査装置は、企業単独で個別に導入するには高価であり、また維持管理費用も必要となるなど企業のコスト負担は大きなものとなる。また、デジタル検査装置を導入したとしても、この装置を操作し検版を行うには専門的な知識を必要とするため、システム管理者の配置も必要になるといった問題もある。またさらに、企業単独で導入した場合、操作を誤ったり、デジタル検査装置が故障したときには、復旧するまでの間デジタル検版を行うことができないといった問題もある。
【特許文献１】特許第２８１６０９１号
【特許文献２】特開２００３−８８６８号公報
【発明の開示】
【発明が解決しようとする課題】
【０００７】
本発明は、上記のような従来技術に伴う課題を解決するものであって、デジタル検版処理を依頼する検版依頼者端末と、デジタル検版処理を行うデジタル検版ＡＳＰ（Application Service Provider）とがネットワークを介して相互に通信可能に接続されたデジタル検版ＡＳＰシステムを提供することを目的とする。
【課題を解決するための手段】
【０００８】
本発明に係るデジタル検版ＡＳＰシステムは、検版依頼者が有する送信端末および受信端末とネットワークを介してアクセス可能なデジタル検版ＡＳＰを有するデジタル検版ＡＳＰシステムであって、
前記デジタル検版ＡＳＰが、ファイル転送サーバーとデジタル検査装置とを備え、
前記ファイル転送サーバーは、前記送信端末から初校データと再校データとを受信し、検版依頼者ごとに保存する入力データ保存手段と、
前記デジタル検査装置から処理データを入手したときには、検版依頼者ごとに保存するとともに所定の受信端末に送信する処理データ保存送信手段を有し、
前記デジタル検査装置は、ファイル転送サーバーを監視するとともに、ファイル転送サーバーに保存された初校データと再校データを認識したときはこれらのデータを取得し、取得したデータをデジタル画像データに変換するデータ取得変換手段と、
前記データ取得変換手段によって変換されたデジタル画像データを検査して、その検査結果をデータとして作成するとともに、検査結果データをファイル転送サーバーに送信する画像検査送信手段とを有する
ことを特徴とする。
【０００９】
また、本発明に係るデジタル検版ＡＳＰシステムは、検版依頼者が有する送信端末および受信端末と、これらとネットワークを介してアクセス可能なデジタル検版ＡＳＰとからなるデジタル検版ＡＳＰシステムであって、
前記デジタル検版ＡＳＰが、ファイル転送サーバーとデジタル検査装置とを備え、
前記送信端末は、入力された初校データと再校データとを認識したときに、これらをファイル転送サーバーに送信する送信手段を有し、
前記ファイル転送サーバーは、受信したデータを検版依頼者ごとに保存するデータ保存手段を有し、
前記デジタル検査装置は、ファイル転送サーバーを監視するとともに、ファイル転送サーバーに保存された初校データと再校データを認識したときはこれらのデータを取得し、取得したデータをデジタル画像データに変換するデータ取得変換手段と、
前記データ取得変換手段によって変換されたデジタル画像データを検査して、その検査結果をデータとして作成するとともに、検査結果データをファイル転送サーバーに送信する画像検査送信手段とを有し、
前記受信端末は、ファイル転送サーバーを監視し、ファイル転送サーバーに保存された検査結果データを認識したときは、その検査結果データを取得する処理データ取得手段を有する
ことを特徴とする
このようなデジタル検版ＡＳＰシステムによれば、デジタル検査装置を企業単独で個別に導入する必要がない。
【００１０】
したがって、デジタル検査装置を導入するコスト負担が軽減されるだけでなく、メンテナンス費用やシステム管理者の配置も必要でなくなるなどデジタル検版に必要とされる維持管理費用が軽減され、安価にデジタル検版を行うことができる。
【００１１】
また、検版依頼者が自己の端末から初校データと再校データを送信するだけでデジタル検版が行われ検査結果をデジタルデータとして得ることができる。
したがって、検版依頼者は専門的知識を有していなくても、容易にかつ迅速にデジタル検版の検査結果を得ることができる。
【００１２】
またさらに、デジタル検版ＡＳＰは、このＡＳＰを管理する専門の管理者によって管理されることになり、さらにメンテナンスが行われる。
したがって、企業が個別にデジタル検査装置を導入する場合に比べ故障が発生し難く、
より迅速に検版作業を行うことができ、かつ正確な検版結果を得ることができる。
【００１３】
また、デジタル検査装置のデータ取得変換手段は、ファイル転送サーバーを監視するとともにデータを認識したときはこれらのデータを取得するので、ファイル転送サーバーにおいてデータ保存に対する容量負担が生じることがない。
【００１４】
さらに、受信端末のデータ取得手段は、ファイル転送サーバーを監視するとともにデータを認識したときは、そのデータを取得するので、ファイル転送サーバーにおいてデータ保存に対する容量負担が生じることがない。
【００１５】
前記送信端末は、
入力された初校データおよび再校データに関する所定の情報を収集し、この所定の情報と検版依頼者に付与された認識情報とを有する情報データを作成する情報データ作成手段を有することが好ましい。
【００１６】
このような情報データを作成することにより、デジタル検版ＡＳＰにおいて検版依頼者ごとの情報管理や、初校・再校データの情報管理を行うことができる。
前記検版依頼者が有する端末が、前記送信端末の機能および受信端末の機能を有する送受信端末であることが好ましい。
【００１７】
前記送信手段は、初校データと再校データを、前記情報データ作成手段が作成した情報データとともにファイル転送サーバーに送信することが好ましい。
また、前記送信手段は、初校データと再校データを圧縮してファイル転送サーバーに送信することも好ましく、初校・再校データを前記情報データとともに暗号化してファイル転送サーバーに送信することも好ましく、さらに圧縮された初校・再校データを前記情報データとともに暗号化してファイル転送サーバーに送信することが望ましい。
【００１８】
このように送信データを圧縮することにより、ファイル転送サーバー側において、容量負担が生じることがなく、また暗号化することにより第三者による閲覧が防止されるなどセキュリティを確保することができる。
【００１９】
前記データ取得変換手段は、
ファイル転送サーバーを監視するとともに、ファイル転送サーバーに保存された圧縮および／または暗号化されたデータを認識したときはそのデータを取得し、
その圧縮および／または暗号化されたデータを伸張および／または復号化し、
伸張および／または復号化した初校・再校データをデジタル画像データに変換することが好ましい。
【００２０】
また、前記データ取得変換手段は、ファイル転送サーバーからデータを取得するとともに、所定のログデータを作成することも好ましい。
このように所定のログデータを作成することにより、デジタル検版ＡＳＰにおいて検版依頼者ごとの情報管理や、初校・再校データの情報管理を行うことができる。
【００２１】
さらに、前記データ取得変換手段は、ファイル転送サーバーから取得したデータをデジタル画像データに変換するとともに、このデジタル画像データの検査を行うための所定の指示データを作成することが望ましい。
【００２２】
このように、デジタル画像データの検査を行うための所定の指示データを作成することにより、迅速かつ正確に検版作業を行うことができ、クライアント（検版依頼者）管理を容易に行うことができる。
【００２３】
前記検査送信手段は、前記指示データに基づいて、
デジタル初校データとデジタル再校データとを検査して検査結果データを作成し、
この検査結果データを圧縮および／または暗号化してファイル転送サーバーに送信することが好ましい。
【００２４】
このように検査結果データを圧縮することにより、ファイル転送サーバー側において、容量負担が生じることがなく、また暗号化することにより第三者による閲覧が防止されるなどセキュリティを確保することができる。
【００２５】
また、前記検査送信手段は、検査結果データをファイル転送サーバーに送信するとともに、所定の検版作業ログデータを作成することも好ましい。
前記デジタル検査装置は、
一連のデジタル検版を行った際に作成される所定のログデータに基づき、検版依頼者ごとにログデータを作成する検版依頼者別ログデータ作成手段を有することが好ましい。
【００２６】
前記検版依頼者別ログデータは、
前記ログデータと、さらに前記検版作業ログデータとから作成されていることが好ましい。
【００２７】
このような検版依頼者別ログデータにより、クライアント（検版依頼者）ごとにどのような検版処理が行われたかを容易に把握することができる。
前記デジタル検査装置は、
該装置におけるデジタル検版処理に伴なう検版依頼者への課金のための処理を行なう課金手段を有することも好ましい。
【００２８】
前記課金手段が、前記検版依頼者別ログデータに基づき課金処理を行うことが好ましい。
デジタル検版ＡＳＰが、このような課金手段を有していることにより、検版結果とともに料金を検版依頼者に請求することができる。また、検版依頼者も、検版結果とともに料金を確認することができるため、検版料が容易に明らかになる。
【００２９】
前記処理データ取得手段は、
ファイル転送サーバーを監視するとともにデジタル検査装置から送信された圧縮および／または暗号化されたデータを認識したときは、そのデータを取得し、
取得したデータを伸張および／または復号化することが好ましい。
【００３０】
本発明に係るネットワークを介したデジタル検版方法は、検版依頼者が有する送信端末および受信端末とネットワークを介してアクセス可能なデジタル検版ＡＳＰを有し、前記デジタル検版ＡＳＰが、ファイル転送サーバーとデジタル検査装置とを備えるシステムにおけるデジタル検版方法であって、
前記ファイル転送サーバーにおいて、前記送信端末から初校データと再校データとを受信し、検版依頼者ごとに保存する入力データ保存ステップと、
前記入力データ保存ステップでファイル転送サーバーに保存された初校・再校データをデジタル検査装置によって取得するデータ取得ステップと、
前記データ取得ステップで取得したデータをデジタル検査装置においてデジタル画像データに変換するデータ変換ステップと、
前記データ変換ステップで作成されたデジタル画像データを検査して、その検査結果をデジタル検査装置において検査結果データとして作成する画像検査ステップと、
画像検査ステップにおいて作成された検査結果データをファイル転送サーバーに送信す
る検査結果データ送信ステップと、
ファイル転送サーバーにおいて、前記検査結果データ送信ステップにおいて送信された検査結果データを、検版依頼者ごとに保存する処理データ保存ステップと、
前記処理データ保存ステップでファイル転送サーバーに保存された検査結果データを所定の受信端末に送信する処理データ送信ステップと、
を有することを特徴とする
また、本発明に係るネットワークを介したデジタル検版方法は、検版依頼者が有する送信端末および受信端末と、これらとネットワークを介してアクセス可能なデジタル検版ＡＳＰとからなり、前記デジタル検版ＡＳＰが、ファイル転送サーバーとデジタル検査装置とを備えるシステムにおけるデジタル検版方法であって、
前記検版依頼者が、送信端末において初校・再校データを入力するデータ入力ステップと、
前記データ入力ステップにおいて入力された該データをファイル転送サーバーに送信する送信ステップと、
ファイル転送サーバーにおいて、前記送信ステップにおいて送信された初校・再校データを、検版依頼者ごとに保存する入力データ保存ステップと、
前記入力データ保存ステップでファイル転送サーバーに保存された初校・再校データをデジタル検査装置によって取得するデータ取得ステップと、
前記データ取得ステップで取得したデータをデジタル検査装置においてデジタル画像データに変換するデータ変換ステップと、
前記データ変換ステップで作成されたデジタル画像データを検査して、その検査結果をデジタル検査装置において検査結果データとして作成する画像検査ステップと、
画像検査ステップにおいて作成された検査結果データをファイル転送サーバーに送信する検査結果データ送信ステップと、
ファイル転送サーバーにおいて、前記検査結果データ送信ステップにおいて送信された検査結果データを、検版依頼者ごとに保存する処理データ保存ステップと、
前記処理データ保存ステップでファイル転送サーバーに保存された検査結果データを受信端末によって取得する処理データ取得ステップと
を有することを特徴とする。
【００３１】
このようなネットワークを介したデジタル検版方法によれば、ネットワークを介してデジタル検版が行われるため、検版依頼者（例えば、企業）は検版結果を迅速に入手でき、またデジタル検査装置を個別に導入する必要がない。
【００３２】
したがって、デジタル検査装置を導入するコスト負担が軽減されるだけでなく、メンテナンス費用やシステム管理者の配置も必要でなくなるなどデジタル検版に必要とされる維持管理費用が軽減され、安価にデジタル検版を行うことができる。
【００３３】
また、検版依頼者が自己の端末から初校データと再校データを送信するだけでデジタル検版が行われ検査結果をデジタルデータとして得ることができる。
したがって、検版依頼者は専門的知識を有していなくても、容易にデジタル検版の検査結果を得ることができる。
【００３４】
またさらに、デジタル検版方法に用いられるデジタル検版ＡＳＰは専門の管理者によって管理され、さらにメンテナンスが行われる。
したがって、企業が個別にデジタル検査装置を導入する場合に比べ故障が発生し難く、より迅速に検版作業を行うことができ、かつ正確な検版結果を得ることができる。
【００３５】
前記送信ステップは、入力された初校データと再校データを、所定の情報データとともにファイル転送サーバーに送信する送信ステップであって、
前記情報データが、入力された初校データおよび再校データに関する情報を送信端末において収集し、この情報と検版依頼者に付与された認識情報とを有する情報データを作成する情報データ作成ステップにおいて作成されたことが好ましい。
【００３６】
このような情報データを作成することにより、デジタル検版ＡＳＰにおいて検版依頼者ごとの情報管理や、初校・再校データの情報管理を行うことができる。
前記検版依頼者が有する端末が、前記送信端末の機能および受信端末の機能を有する送受信端末であることが好ましい。
【００３７】
前記送信ステップは、圧縮および／または暗号化されたデータをファイル転送サーバーに送信する送信ステップであって、
前記圧縮および／または暗号化されたデータが、初校データと再校データを圧縮するデータ処理ステップ、初校・再校データを前記情報データとともに暗号化するデータ処理ステップ、または圧縮された初校・再校データを前記情報データとともに暗号化するデータ処理ステップにおいて作成されたことが好ましい。
【００３８】
このように初校データと再校データを圧縮することにより、ファイル転送サーバー側において、容量負担が生じることがなく、また暗号化することにより第三者による閲覧が防止されるなどセキュリティを確保することができる。
【００３９】
前記処理データ取得ステップは、ファイル転送サーバーに保存された圧縮および／または暗号化されたデータをデジタル検査装置によって取得するステップであって、
その圧縮および／または暗号化されたデータをデジタル検査装置において伸張および／または復号化するデータ復元ステップをさらに有することが好ましい。
【００４０】
デジタル検査装置においてデータ復元ステップで伸張および／または復号化されたデータから所定のログデータを作成するログデータ作成ステップを有することが好ましい。
このように所定のログデータを作成することにより、デジタル検版ＡＳＰにおいて検版依頼者ごとの情報管理や、初校・再校データの情報管理を行うことができる。
【００４１】
また、デジタル検査装置においてデータ変換ステップでデジタル画像データに変換された初校・再校データの検査を行うための所定の指示データを作成する指示データ作成ステップを有することも好ましい。
【００４２】
このように、デジタル画像データの検査を行うための所定の指示データを作成することにより、迅速かつ正確に検版作業を行うことができ、クライアント（検版依頼者）管理を容易に行うことができる。
【００４３】
前記画像検査ステップは、前記指示データ作成ステップにおいて作成された指示データに基づいて、デジタル初校データとデジタル再校データとを検査して、その検査結果をデジタル検査装置において検査結果データとして作成するステップであることが好ましい。
【００４４】
前記検査結果データ送信ステップは、圧縮および／または暗号化された検査結果データをファイル転送サーバーに送信する送信ステップであって、
前記圧縮および／または暗号化された検査結果データが、デジタル検査装置において検査結果データを圧縮するデータ処理ステップ、デジタル検査装置において検査結果データを暗号化するデータ処理ステップ、デジタル検査装置において検査結果データを圧縮し暗号化するデータ処理ステップにおいて作成されたことが好ましい。
【００４５】
このように検査結果データを圧縮することにより、ファイル転送サーバー側において、
容量負担が生じることがなく、また暗号化することにより第三者による閲覧が防止されるなどセキュリティを確保することができる。
【００４６】
また、前記検査結果データ送信ステップは、検査結果データをファイル転送サーバーに送信するとともに、デジタル検版における所定の動作履歴情報が記載された検版作業ログデータを作成するステップであることも好ましい。
【００４７】
前記デジタル検査装置において、
一連のデジタル検版を行った際に作成される所定のログデータに基づき、検版依頼者ごとにログデータを作成する検版依頼者別ログデータ作成ステップを有することが好ましい。
【００４８】
前記検版依頼者別ログデータは、
前記ログデータと、前記検版作業ログデータとから作成されていることが好ましい。
このような検版依頼者別ログデータにより、クライアント（検版依頼者）ごとにどのような検版処理が行われたかを容易に把握することができる。
【００４９】
前記デジタル検査装置において、
デジタル検版処理に伴なう検版依頼者への課金のためのデータを作成する課金データ作成ステップと、前記課金データ作成ステップにおいて作成された課金データをファイル転送サーバーに送信する送信ステップとを有することが好ましい。
【００５０】
前記課金データ作成ステップは、前記検版依頼者別ログデータ作成ステップにおいて作成された検版依頼者別ログデータに基づき課金データ作成を行うステップであることが好ましい。
【００５１】
課金データ作成ステップが、このようなステップであることにより、検版結果とともに料金を検版依頼者に請求することができる。また、検版依頼者も、検版結果とともに料金を確認することができるため、検版料が容易に明らかになる。
【００５２】
前記受信端末において、圧縮および／または暗号化されたデータをファイル転送サーバーから取得したときは、取得したデータを伸張および／または復号化するデータ復元ステップを有することが好ましい。
【発明の効果】
【００５３】
本発明に係るデジタル検版ＡＳＰシステム、およびネットワークを介したデジタル検版方法によれば、ネットワークを介してデジタル検版が行われるため、検版依頼者（例えば、企業）はデジタル検査装置を個別に導入する必要がない。
【００５４】
したがって、デジタル検査装置を導入するコスト負担が軽減されるだけでなく、メンテナンス費用やシステム管理者の配置も必要でなくなるなどデジタル検版に必要とされる維持管理費用が軽減され、安価にデジタル検版を行うことができる。
【００５５】
また、検版依頼者が、自己の端末から初校データと再校データとをネットワークを介して送信するだけでデジタル検版が行われ、さらに検査結果をネットワークを介してデジタルデータとして得ることができる。
【００５６】
したがって、検版依頼者は専門的知識を有していなくても、容易にデジタル検版の検査結果を得ることができる。
またさらに、デジタル検版方法に用いられるデジタル検版ＡＳＰは専門の管理者によっ
て管理され、さらにメンテナンスが行われる。
【００５７】
したがって、企業が個別にデジタル検査装置を導入する場合に比べ故障が発生し難く、より迅速に検版作業を行うことができ、かつ正確な検版結果を得ることができる。
【発明を実施するための最良の形態】
【００５８】
以下、本発明に係るデジタル検版ＡＳＰ（Application Service Provider）システム、およびネットワークを介したデジタル検版方法の実施態様について、図面を参照しながら詳細に説明する。
【００５９】
デジタル検版ＡＳＰシステム
＜第１の実施態様＞
本発明に係るデジタル検版ＡＳＰシステムの第１の実施態様は、図１−１に示したように、検版依頼者２０が有する送信端末２２および受信端末２７とネットワーク３０を介してアクセス可能なデジタル検版ＡＳＰ ４０を有し、前記デジタル検版ＡＳＰ ４０は、ファイル転送サーバー５０とデジタル検査装置６０とを基本的に備える。
【００６０】
検版依頼者２０が有する送信端末２２としては、データの送受信を行う送受信部、制御部（ＣＰＵ）、キーボードやマウスなどの操作部、メモリ、ディスプレイなどの表示部を備える装置であれば特に限定されず、例えばコンピュータなどが挙げられる。さらに、送信端末２２には、印刷を行う画像出力装置、スキャナーなどの画像入力装置などが接続されていることが好ましい。
【００６１】
また、検版依頼者２０は、送信端末２２を用いて初校データと再校データとを入力し、所定のファイル転送サーバー５０に送信する。このとき、これらのデータに関する所定の情報を収集し、この所定の情報と検版依頼者２０に付与された認識情報とを有する情報データを作成することが好ましく、また初校データと再校データを圧縮し、圧縮された初校・再校データを、この情報データとともに暗号化することも好ましい。
【００６２】
またさらに、送信端末２２は、初校・再校データが入力されると、情報データを作成するとともに自動的にファイル転送サーバー５０に送信するように構成されていることも望ましい。
【００６３】
一方、検版依頼者２０が有する受信端末２７も同様に、データの送受信を行う送受信部、制御部（ＣＰＵ）、キーボードやマウスなどの操作部、メモリ、ディスプレイなどの表示部を備える装置であれば特に限定されず、例えばコンピュータなどが挙げられる。さらに、受信端末２７には、印刷を行う画像出力装置などが接続されていることが好ましい。
【００６４】
受信端末２７は、ファイル転送サーバー５０から送信されてきた、後述する検査結果データなどを受信する。
また、受信端末２７は、ファイル転送サーバー５０を監視し、ファイル転送サーバー５０に保存された後述する検査結果データなどを認識したときは、その検査結果データを取得する機能を有していることも好ましい。さらに、検査結果データ等が、圧縮および／または暗号化されている場合には、取得したデータを伸張および／または復号化する機能を有していても好ましい。
【００６５】
このような送信端末２２と受信端末２７とは、インターネット、ＬＡＮ（Local Area Network）やＷＡＮ（Wide Area Network）等の情報通信網で接続されていても良い。これ
らの端末相互の接続は、有線無線を問わない。
【００６６】
また、上述の送信端末２２が有する機能と受信端末２７が有する機能とを、１台の端末（送受信端末）が有していれば、検版依頼者２０が有する端末は１台であってもよい。
また、検版依頼者２０は複数であってもよく、さらに送信端末２２を有する検版依頼者２０と、受信端末２７とを有する検版依頼者２０とが別々であってもよい。
【００６７】
ネットワーク３０としては、例えばインターネット、ＬＡＮ（Local Area Network）、ＷＡＮ（Wide Area Network）等の情報通信網が挙げられる。
また、デジタル検版ＡＳＰ ４０は、ファイル転送サーバー５０とデジタル検査装置６
０とからなる。ファイル転送サーバー５０とデジタル検査装置６０とは、インターネット、ＬＡＮ（Local Area Network）、ＷＡＮ（Wide Area Network）等の情報通信網で接続
されている。これらの相互の接続は、有線無線を問わない。また、ファイル転送サーバー５０は、デジタル検査装置６０中に備えられていてもよい。
【００６８】
ファイル転送サーバー５０は、送信端末２２から受信したデータを検版依頼者２０ごとに保存する入力データ保存部５２、デジタル検査装置６０から受信した検査結果データを検版依頼者２０ごとに保存する処理データ保存部５４を有する。入力データ保存部５２と処理データ保存部５４は、１つの保存部として構成されていてもよい。
【００６９】
また、処理データ保存部５４は、検査結果データを受信したときは、所定の受信端末２７に自動的に送信するように処理データ保存送信部として構成されていてもよい。
一方、デジタル検査装置６０は、データの送受信を行う送受信部、制御部（ＣＰＵ）、メモリなどを備え、デジタル検版が行えるように構成されている。本発明においては、図１−１に示すように、デジタル検査装置６０のハードウェア構成としては制御部（ＣＰＵ）のみを表し、他の部分に関しては省略する。
【００７０】
このデジタル検査装置６０は、具体的には、メモリに記録されたプログラムにより、図１−１に示すようなデータ取得変換部６２と、画像検査送信部６４と、検版依頼者別ログデータ作成部６６と、課金部６８とを有し、制御部６１の指令に応じて動作する。
【００７１】
データ取得変換部６２は、ファイル転送サーバー５０を監視するとともに、ファイル転送サーバー５０に保存された初校データと再校データを認識したときはこれらのデータを取得し、取得したデータをデジタル画像データに変換する。また、初校・再校データが圧縮および／または暗号化されている場合は、これらのデータを伸張および／または復号化し、この伸張および／または復号化した初校・再校データをデジタル画像データに変換する。
【００７２】
さらに、データ取得変換部６２は、ファイル転送サーバー５０からデータを取得するとともに、所定のログデータを作成することが好ましく、さらにファイル転送サーバー５０から取得したデータをデジタル画像データに変換するとともに、このデジタル画像データの検査を行うための所定の指示データを作成することも好ましい。
【００７３】
画像検査送信部６４は、データ取得変換部６２によって変換されたデジタル画像データを検査して、その検査結果をデジタルデータとして作成するとともに、検査結果データをファイル転送サーバー５０に送信する。さらに、このデジタル画像データを圧縮および／または暗号化することが好ましい。
【００７４】
この画像検査としては、特に限定されないが、デジタル画像データに変換された初校データと再校データとの比較、再校データと再々校データとの比較などが挙げられる。
検版依頼者別ログデータ作成部６６は、一連のデジタル検版を行った際に作成される所定のログデータに基づき、検版依頼者ごとにログデータを作成し、このログデータをファ
イル転送サーバー５０に送信する。
【００７５】
課金部６８は、デジタル検査装置６０におけるデジタル検版処理に伴う検版依頼者２０への課金のための処理を行い、処理結果をファイル転送サーバー５０に送信する。
＜第２の実施態様＞
本発明に係るデジタル検版ＡＳＰシステムの第２の実施態様は、図１−２に示したように、検版依頼者２０が有する送信端末２２および受信端末２７と、これらとネットワーク３０を介してアクセス可能なデジタル検版ＡＳＰ ４０とからなり、前記デジタル検版Ａ
ＳＰ ４０は、ファイル転送サーバー５０とデジタル検査装置６０とを基本的に備える。
【００７６】
検版依頼者２０が有する送信端末２２としては、データの送受信を行う送受信部、制御部（ＣＰＵ）、キーボードやマウスなどの操作部、メモリ、ディスプレイなどの表示部を備える装置であれば特に限定されず、例えばコンピュータなどが挙げられる。さらに、送信端末２２には、印刷を行う画像出力装置、スキャナーなどの画像入力装置などが接続されていることが好ましい。本発明においては、図１−２に示すように、送信端末２２のハードウェア構成としては制御部（ＣＰＵ）のみを表し、他の部分に関しては省略する。
【００７７】
さらに、送信端末２２は、メモリに記録されたプログラムにより、図１−２に示すような情報データ作成部２４と、送信部２６とを有し、制御部２３の指令に応じて動作する。
情報データ作成部２４は、所定の入力フォルダを監視しており、検版依頼者２０により初校データおよび再校データが入力されたときには、これらのデータに関する所定の情報を収集し、この所定の情報と検版依頼者２０に付与された認識情報とを有する情報データを作成する。
【００７８】
送信部２６は、検版依頼者２０により入力された初校データと再校データを、情報データ作成部２４により作成された情報データとともにファイル転送サーバー５０に送信する。また、初校データと再校データを圧縮し、圧縮された初校・再校データを、この情報データとともにファイル転送サーバー５０に送信することが好ましく、初校データと再校データを圧縮し、圧縮された初校・再校データを、この情報データとともに圧縮してファイル転送サーバー５０に送信することも好ましい。
【００７９】
一方、検版依頼者２０が有する受信端末２７も同様に、データの送受信を行う送受信部、制御部（ＣＰＵ）、キーボードやマウスなどの操作部、メモリ、ディスプレイなどの表示部を備える装置であれば特に限定されず、例えばコンピュータなどが挙げられる。さらに、受信端末２７には、印刷を行う画像出力装置などが接続されていることが好ましい。本発明においては、図１−２に示すように、受信端末２７のハードウェア構成としては制御部（ＣＰＵ）のみを表し、他の部分に関しては省略する。
【００８０】
受信端末２７は、メモリに記録されたプログラムにより、図１−２に示すようなデータ取得部２９を有し、制御部２８の指令に応じて動作する。
データ取得部２９は、ファイル転送サーバー５０を監視し、ファイル転送サーバー５０に保存された後述する検査結果データなどを認識したときは、その検査結果データを取得する機能を有する。さらに、検査結果データ等が、圧縮および／または暗号化されている場合には、取得したデータを伸張および／または復号化する機能を有する。
【００８１】
このような送信端末２２と受信端末２７とは、インターネット、ＬＡＮ（Local Area Network）やＷＡＮ（Wide Area Network）等の情報通信網で接続されていても良い。これ
らの端末相互の接続は、有線無線を問わない。
【００８２】
また、上述の送信端末２２が有する機能と受信端末２７が有する機能とを、１台の端末
（送受信端末）が有していれば、検版依頼者２０が有する端末は１台であってもよい。
また、検版依頼者２０は複数であってもよく、さらに送信端末２２を有する検版依頼者２０と、受信端末２７とを有する検版依頼者２０とが別々であってもよい。
【００８３】
ネットワーク３０としては、例えばインターネット、ＬＡＮ（Local Area Network）、ＷＡＮ（Wide Area Network）等の情報通信網が挙げられる。
また、デジタル検版ＡＳＰ ４０は、ファイル転送サーバー５０とデジタル検査装置６
０とからなる。ファイル転送サーバー５０とデジタル検査装置６０とは、インターネット、ＬＡＮ（Local Area Network）、ＷＡＮ（Wide Area Network）等の情報通信網で接続
されている。これらの相互の接続は、有線無線を問わない。また、ファイル転送サーバー５０は、デジタル検査装置６０中に備えられていてもよい。
【００８４】
ファイル転送サーバー５０は、受信したデータを検版依頼者２０ごとに保存する入力データ保存部５２、処理データ保存部５４を有する。入力データ保存部５２と処理データ保存部５４は、１つの保存部として構成されていてもよい。
【００８５】
一方、デジタル検査装置６０は、データの送受信を行う送受信部、制御部（ＣＰＵ）、メモリなどを備え、デジタル検版が行えるように構成されている。本発明においては、図１−２に示すように、デジタル検査装置６０のハードウェア構成としては制御部（ＣＰＵ）のみを表し、他の部分に関しては省略する。
【００８６】
このデジタル検査装置６０は、具体的には、メモリに記録されたプログラムにより、図１−２に示すようなデータ取得変換部６２と、画像検査送信部６４と、検版依頼者別ログデータ作成部６６と、課金部６８とを有し、制御部６１の指令に応じて動作する。
【００８７】
データ取得変換部６２は、ファイル転送サーバー５０を監視するとともに、ファイル転送サーバー５０に保存された初校データと再校データを認識したときはこれらのデータを取得し、取得したデータをデジタル画像データに変換する。また、初校・再校データが圧縮および／または暗号化されている場合は、これらのデータを伸張および／または復号化し、この伸張および／または復号化した初校・再校データをデジタル画像データに変換する。
【００８８】
さらに、データ取得変換部６２は、ファイル転送サーバー５０からデータを取得するとともに、所定のログデータを作成することが好ましく、さらにファイル転送サーバー５０から取得したデータをデジタル画像データに変換するとともに、このデジタル画像データの検査を行うための所定の指示データを作成することも好ましい。
【００８９】
画像検査送信部６４は、データ取得変換部６２によって変換されたデジタル画像データを検査して、その検査結果をデジタルデータとして作成するとともに、検査結果データをファイル転送サーバー５０に送信する。さらに、このデジタル画像データを圧縮および／または暗号化することが好ましい。
【００９０】
この画像検査としては、特に限定されないが、デジタル画像データに変換された初校データと再校データとの比較、再校データと再々校データとの比較などが挙げられる。
検版依頼者別ログデータ作成部６６は、一連のデジタル検版を行った際に作成される所定のログデータに基づき、検版依頼者ごとにログデータを作成し、このログデータをファイル転送サーバー５０に送信する。
【００９１】
課金部６８は、デジタル検査装置６０におけるデジタル検版処理に伴なう検版依頼者２０への課金のための処理を行い、処理結果をファイル転送サーバー５０に送信する。
このような本発明の第２の実施態様のデジタル検版ＡＳＰシステムは、同一企業内に存在していてもよく、具体的には、工場や事業所などの検版依頼部門（検版依頼者２０）は、ネットワーク３０を介して本社などに設置されたデジタル検版ＡＳＰ ４０にアクセス
し、デジタル検版を行うことができる。
【００９２】
本発明のネットワークを介したデジタル検版方法は、このようなデジタル検版ＡＳＰシステム１０を用いたデジタル検版方法である。以下に、詳細に説明する。
ネットワークを介したデジタル検版方法
＜第１の実施態様＞
本発明に係るネットワークを介したデジタル検版方法の第１の実施態様は、検版依頼者２０が有する送信端末２２および受信端末２７とネットワーク３０を介してアクセス可能なデジタル検版ＡＳＰ ４０を有し、デジタル検版ＡＳＰ ４０が、ファイル転送サーバー５０とデジタル検査装置６０とを備える、図１−１に示すデジタル検版ＡＳＰシステム１０におけるデジタル検版方法である。
【００９３】
このようなネットワークを介したデジタル検版方法を、以下、ファイル転送サーバー５０、またはデジタル検査装置６０ごとに、フローチャートを参照しながら説明する。
（ファイル転送サーバー５０）
図２に示すように、ファイル転送サーバー５０では、送信端末２２から圧縮・暗号化された初校データと再校データとを受信し、検版依頼者ごとに保存するデータ保存ステップ（ステップＳ１２）を有する。
【００９４】
まず、初校データ、再校データについて説明する。
この初校データおよび再校データは、検版依頼者２０により送信端末２２を用いて作成され、具体的には、図３に示すような初校画面７０と、初校画面７０の間違いを訂正した再校画面７２が記述されている。再校画面７２においては、文字の追加（「高山」の追加）、書体の変更（「高山植物」の斜体から標準書体への変更、「目を楽しませてくれます。」のゴシック体から明朝体への変更）、写真原稿差し替え（左写真の変更）、写真位置の変更（右写真の花の位置の変更）が行われている。このような変更は、特に限定されず、通常の再校処理において行われる。このような初校データおよび再校データのフォーマット形式としては、１−ｂｉｔ Ｔｉｆｆ（Tagged Image File Format）形式、Ｔｉｆｆ
形式、ＰＤＦ（Portable Document Format）形式などが挙げられる。
【００９５】
また、送信端末２２は、この初校再校データとともに、これらのデータに関する情報を収集し、この情報および検版依頼者２０に付与された認識情報等を有する情報データを作成することも好ましい。
【００９６】
具体的には、初校データと再校データに関する情報とは、これらのファイルフォーマットや、ファイル名称などを挙げることができ、検版依頼者２０に付与された認識情報とは、クライアントＩＤなどを挙げることができる。この情報データは、例えば、テキストデータとして作成される。
【００９７】
さらに、送信端末２２は、初校データと再校データを圧縮することが好ましく、初校・再校データを上記情報データとともに暗号化することも好ましく、さらに、圧縮された初校・再校データを上記情報データとともに暗号化することも望ましい。
【００９８】
本発明に実施態様においては、初校・再校データが圧縮・暗号化され、情報データが暗号化された態様において説明するが、特に限定されず、圧縮・暗号化されていない態様、圧縮のみされている態様、暗号化のみされている態様を何ら排除するものではない。
【００９９】
圧縮は、通常の方法により行われ、そのような方法としては、例えば、ハフマン符号法、シャノンファノ符号法、Ｌｅｍｐｅｌ-Ｚｉｖ符号法、ＢＳＴＷ符号法、インターバル
符号法などを挙げることができる。一方、暗号化は、通常の方法により行われ、そのような方法としては、例えば慣用暗号方式、公開鍵暗号方式、秘密鍵暗号方式などを挙げることができる。
【０１００】
このような初校再校データが検版依頼者２０により送信端末２２を用いて作成されると、ファイル転送サーバー５０は、送信端末２２から圧縮・暗号化されたデータを受信する。
【０１０１】
具体的には、検版依頼者２０が送信端末２２を用いて送信した所定のデータを受信してもよく、また、送信端末２２から自動的に送信された所定のデータを受信してもよい。
送信端末２２から自動的に送信するには、送信端末２２が、ファイル転送サーバー５０のアドレス、検版依頼者２０のユーザー名やパスワード、ファイル転送サーバー５０上のファイルを保存する入力データ保存部５２のパス（名前）などの情報を用いてファイル転送サーバー５０にアクセスし、圧縮・暗号化されたデータを保存部５２に送信（アップロード）する。
【０１０２】
一方、図示しないが、ファイル転送サーバー５０は、上記確認の結果、検版依頼者２０が認識されないときには、送信端末２２にその旨通知するように構成されていることが好ましい。
【０１０３】
このようにしてステップＳ１２が終了すると、送信端末２２におけるステップは終了し、デジタル検版ＡＳＰ ４０のデジタル検査装置６０におけるステップＳ２０に進む。
（デジタル検査装置６０）
図４に示すように、デジタル検査装置６０では、
ファイル転送サーバー５０の入力データ保存部５２に圧縮・暗号化されたデータが保存されると、このデータを取得するデータ取得ステップ（ステップＳ２０）と、
その圧縮・暗号化されたデータを伸張・復号化するデータ復元ステップ（ステップＳ２２）と、
データ復元ステップで伸張・復号化されたデータから所定のログデータを作成するログデータ作成ステップ（ステップＳ２４）と、
ログデータ作成ステップにおいて、ログデータが作成されると、前記データ復元ステップで伸張・復号化したデータをデジタル画像データに変換するデータ変換ステップ（ステップＳ２６）と、
データ変換ステップでデジタル画像データに変換された初校・再校データの比較を行うための所定の情報が記載された指示データを作成する指示データ作成ステップ（ステップＳ２８）と、
前記指示データ作成ステップにおいて作成された指示データに基づいて、デジタル初校データとデジタル再校データとを比較して、その比較結果を検査データとして作成する画像検査ステップ（ステップＳ３０）と、
画像検査ステップにおいて検査結果データが作成されると、このデータを圧縮・暗号化するデータ処理ステップ（ステップＳ３２）と、
データ処理ステップにおいて圧縮・暗号化された検査結果データをファイル転送サーバー５０に送信するとともに、デジタル検版の動作履歴情報を有する検版作業ログデータを作成する検査結果データ送信ステップ（ステップＳ３４）とを有する。
【０１０４】
さらに、このような一連のデジタル検版を行った際に作成される所定のログデータに基づき、検版依頼者２０ごとにログデータを作成する検版依頼者別ログデータ作成ステップ（ステップＳ３６）と、
前記検版依頼者別ログデータ作成ステップにおいて作成された検版依頼者別ログデータをファイル転送サーバー５０に送信する送信ステップ（ステップＳ３８）と、
前記検版依頼者別ログデータ作成ステップにおいて作成された検版依頼者別ログデータに基づき課金データの作成を行う課金データ作成ステップ（ステップＳ４０）と、
前記課金データ作成ステップにおいて作成された課金データをファイル転送サーバー５０に送信する送信ステップ（ステップＳ４２）とを有する。
【０１０５】
以下、図４に記載のフローチャートを参照しながら説明する。
図４においてステップＳ２０では、入力データ保存部５２に圧縮・暗号化されたデータが保存されると、データ取得変換部６２がこのデータを取得する。
【０１０６】
具体的には、データ取得変換部６２が、ファイル転送サーバー５０の入力データ保存部５２を監視しており、処理データ保存ステップ（ステップＳ２０）において保存された圧縮・暗号化されたデータを確認するとこのデータを取得し、ステップＳ２２に進む。
【０１０７】
ステップＳ２２では、ステップＳ２０において取得された圧縮・暗号化されたデータを、伸張・復号化する。
具体的には、送信端末２２において行われた圧縮法、暗号化法に対応した伸張法、復号化法により、データ取得変換部６２がデータを伸張・復号化する。このデータの復号化は、暗号化法の違いにより、送信端末２２とデータ取得変換部６２とでは用いる「鍵」が異なる場合がある。具体的には、暗号化法が慣用暗号方式、秘密鍵暗号方式である場合には、送信端末２２とデータ取得変換部６２とでは用いる「鍵」が同一であり、公開鍵暗号方式においては、送信端末２２とデータ取得変換部６２とでは用いる「鍵」が異なる。このように暗号化法に対応した「鍵」により、データが伸張・復号化され、初校データ、再校データ、情報データが生成する。
【０１０８】
このようにデータの伸張・復号化が行われるとステップＳ２４に進む。
ステップＳ２４では、ステップＳ２２において伸張・復号化されたデータから所定のログデータを作成する。
【０１０９】
具体的には、データ取得変換部６２が、伸張・復号化された情報データから、ログデータを作成する。このログデータには、アップロード日時（年、月、日、時、分、秒）、クライアントＩＤ，クライアント名、初校データ名、再校データ名などが記録されている。また、データ取得変換部６２は、情報データからログデータを作成するとともに、情報データに記載のクライアントＩＤを用いて、入力データ保存部５２との照合を行うことが好ましい。これにより、検版依頼者２０の確認を行うことができる。なお、このログデータは、後述する検版依頼者別ログデータ作成ステップ（ステップＳ３６）において用いられる。
【０１１０】
このようにログデータを作成すると、ステップＳ２６に進む。
ステップＳ２６では、ステップＳ２２において伸張・復号化した初校・再校データをデジタル画像データに変換する。
【０１１１】
具体的には、まず、データ取得変換部６２が情報データに記載されたフォーマット形式を基にしてデータの仕分けを行う。初校・再校データは、上記したように１−ｂｉｔ Ｔ
ｉｆｆ（Tagged Image File Format）形式、Ｔｉｆｆ形式、ＰＤＦ（Portable Document Format）形式などの所定のフォーマット形式で作成されている。データが１−ｂｉｔ Ｔ
ｉｆｆ形式またはＰＤＦ形式で作成されている場合には、データフォーマットの変換を行い、デジタル画像データであるＴｉｆｆ形式に変換する。なお、初校・再校データがＴｉｆｆ形式で作成されている場合は、データフォーマットの変換は行われない。
【０１１２】
このように伸張・復号化した初校・再校データをデジタル画像データに変換すると、ステップＳ２８に進む。
ステップＳ２８では、ステップＳ２６においてデジタル画像データに変換されたデジタル初校データとデジタル再校データとの検査を行うための所定の指示データを作成する。
【０１１３】
具体的には、データ取得変換部６２が、デジタル初校データおよびデジタル再校データのそれぞれのファイル名称、後述する比較結果のファイル名称、検査結果データの保存先情報などが記述された指示データを作成する。指示データが作成されると、ステップＳ３０に進む。
【０１１４】
ステップＳ３０では、ステップＳ２８において作成された指示データに基づいて、画像検査送信部６４が、デジタル初校データとデジタル再校データとを検査して、その検査結果を検査結果データとして作成する。デジタル初校データとデジタル再校データとの検査は、特に限定されず、従来公知の方法により行うことができる。
【０１１５】
このように検査結果データを作成すると、ステップＳ３２に進む。
ステップＳ３２では、ステップＳ３０において作成された検査結果データを、画像検査送信部６４が圧縮・暗号化する。圧縮法、暗号化法は、送信端末２２において説明した方法と同様であり、検査データが圧縮・暗号化されると、ステップＳ３４に進む。
【０１１６】
ステップＳ３４では、ステップＳ３２において圧縮・暗号化された検査データをファイル転送サーバー５０に送信するとともに、所定の検版作業ログデータを作成する。
具体的には、画像検査送信部６４が、ステップＳ２８において作成された指示データに記載の「検査結果データの保存先情報」に基づいて、圧縮・暗号化された検査データを、ファイル転送サーバー５０の処理データ保存部５４に送信する。さらに、画像検査送信部６４は、デジタル検版装置６０における上述のデジタル検版における動作履歴情報を取得し、検版作業ログデータを作成する。
【０１１７】
このようにデジタル検版装置６０においては、デジタル検版処理を行うともに、さらに検版依頼者２０への課金のための処理（ステップＳ３６〜Ｓ４２）を行う。
ステップＳ３６では、ステップＳ２４において作成されたログデータと、ステップＳ３４において作成された検版作業ログデータとに基づき、検版依頼者２０ごとにログデータを作成する。
【０１１８】
具体的には、検版依頼者別ログデータ作成部６６が、検版依頼者の受信端末２７のアドレス、クライアントＩＤ、検版処理日時（年、月、日、時、分、秒）、検版処理後の画像ファイル名、検版処理後の画像ファイル保存先、検版処理状況（正常終了、エラー終了）、ログデータの保存先情報などが記述された検版依頼者別ログデータを作成する。このログデータは、例えばＨＴＭＬ（Hyper Text Markup Language）フォーマット形式で作成される。このような形式で作成することにより、検版依頼者２０側での取り扱いが容易であるため好ましい。このような検版依頼者別ログデータが作成されるとステップＳ３８に進む。一方で、この検版依頼者別ログデータをデジタル検版装置６０の検版依頼者２０ごとに指定された保存部（図示せず）に保存する。保存された検版依頼者別ログデータは、後述するステップＳ４０において用いられる。
【０１１９】
ステップＳ３８では、ステップＳ３６において作成された検版依頼者別ログデータをファイル転送サーバー５０に送信する。
具体的には、検版依頼者別ログデータ作成部６６が、検版依頼者別ログデータに記載された「ログデータの保存先情報」に基づき、ログデータをファイル転送サーバー５０の指
定された処理データ保存部５４に送信する。
【０１２０】
一方、ステップＳ４０では、ステップＳ３６において作成された検版依頼者別ログデータに基づき課金データの作成を行う。
具体的には、課金部６８が、デジタル検版装置６０の指定フォルダに保存されている検版依頼者別ログデータを取得し、ログデータに記載された、検版依頼者２０から受信したデータの種類ごとにデジタル検版処理件数を集計し、金額を算出して、課金データの作成を行う。このとき検版依頼者別ログデータから、所定の情報、例えばログデータの保存先情報なども取得し、課金データに記述する。課金データの作成が行われると、ステップＳ４２に進む。
【０１２１】
ステップＳ４２では、ステップＳ４０において作成された課金データをファイル転送サーバー５０に送信する。
具体的には、課金部６８が、課金データに記載された「ログデータの保存先情報」に基づき、ログデータをファイル転送サーバー５０の指定された処理データ保存部５４に送信する。
【０１２２】
上述のようにして、
ステップＳ３４において圧縮・暗号化された検査データをファイル転送サーバー５０に送信し、
ステップＳ３８において検版依頼者別ログデータをファイル転送サーバー５０に送信し、
ステップＳ４２において課金データをファイル転送サーバー５０に送信すると、
デジタル検版装置６０におけるステップは終了し、ファイル転送サーバー５０におけるステップＳ５０に進む。
【０１２３】
（ファイル転送サーバー５０）
図５に示すように、ファイル転送サーバー５０では、
デジタル検査装置６０から送信された圧縮・暗号化された検査結果データと、検版依頼者別ログデータと、課金データとを、検版依頼者ごとに保存する処理データ保存ステップ（ステップＳ５０）と、
前記処理データ保存ステップでファイル転送サーバー５０に保存された圧縮・暗号化された検査結果データを所定の受信端末２７に送信する処理データ送信ステップ（ステップＳ５２）と
を有する。
【０１２４】
ステップＳ５０では、具体的には、検査結果データと、検版依頼者別ログデータと、課金データとに記載された、ログデータの保存先などの情報を確認し、その確認の結果、保存先が存在すると判断したときには、検版依頼者ごとに指定された処理データ保存部５４にデータを保存する。
【０１２５】
一方、図示しないが、ファイル転送サーバー５０は、上記確認の結果、保存先が存在しないと判断したときには、デジタル検査装置６０にその旨通知するように構成されていることが好ましい。
【０１２６】
このようにしてステップＳ５０が終了すると、ステップＳ５２に進む。
ステップＳ５２では、ステップＳ５０で保存された検査結果データを所定の受信端末２７に送信する。
【０１２７】
検査結果データの送信は、検版依頼者別ログデータに記載された受信端末２７のアドレ
スなどの送信先情報によって、ファイル転送サーバー５０が行ってもよく、また、受信端末２７が、所定の手段によりファイル転送サーバー５０を監視し、入力データ保存部５２に検査結果データが保存されると、このデータを取得するように構成されていてもよい。
【０１２８】
このように、ファイル転送サーバー５０において、データの送信が行われると、本発明に係る第一のネットワークを介したデジタル検版は終了する。
その後、受信端末２７において、データの伸張・復号化が行われる。
【０１２９】
具体的には、ステップＳ３２において画像検査送信部６４が行った、圧縮法、暗号化法に対応した伸張法、復号化法により受信端末２７がデータを伸張・復号化する。
この検査結果データには、具体的には、図３に示す初校画像７０と再校画像７２とが検査された結果である検版結果画像が記述されており、検版画像には検版依頼者２０が容易に認識できるように訂正箇所が表示されている。例えば、図６に示すような検版結果画像８０が記述されており、文字の追加部分８２、書体の変更部分８４，８４、写真原稿差し替え部分８６、写真位置の変更部分８８を検版依頼者２０が容易に認識できるように変更箇所が枠（例えば、赤枠）で囲まれている。
【０１３０】
その後、検版依頼者２０は、受信端末２７に備えられた印刷などを行う画像出力部、ディスプレイなどの表示部を介して図６に示すような検版結果画像８０を出力または表示させ、デジタル検版による検査結果をチェックし、再校データにおける訂正漏れや訂正ミス、さらに訂正を指示した以外の箇所が修正されていることなどを容易に確認することができる。さらに、検版依頼者別ログデータおよび課金データを出力または表示させることにより、処理状況（履歴）、請求金額を確認することもできる。
【０１３１】
＜第２の実施態様＞
本発明に係るネットワークを介したデジタル検版方法の第２の実施態様は、検版依頼者２０が有する送信端末２２および受信端末２７と、これらとネットワーク３０を介してアクセス可能なデジタル検版ＡＳＰ ４０とからなり、デジタル検版ＡＳＰ ４０が、ファイル転送サーバー５０とデジタル検査装置６０とを備える図１−２に示すデジタル検版ＡＳＰシステム１０におけるデジタル検版方法である。
【０１３２】
このようなネットワークを介したデジタル検版方法を、以下、送信端末２２、受信端末２７、ファイル転送サーバー５０、またはデジタル検査装置６０ごとに、フローチャートを参照しながら説明する。
（送信端末２２）
図７に示すように、送信端末２２では、
検版依頼者２０が送信端末２２において初校・再校データを入力するデータ入力ステップ（ステップＳ６０）と、
データ入力ステップにおいて初校データおよび再校データが入力されると、情報データ作成部２４がこれらのデータに関する情報を収集し、この情報と検版依頼者２０に付与された認識情報とを有する情報データを作成する情報データ作成ステップ（ステップＳ６２）と、
データ入力ステップにおいて入力された初校データと再校データを圧縮し、圧縮された初校・再校データを情報データ作成ステップにおいて作成された情報データとともに暗号化するデータ処理ステップ（ステップＳ６４）と、
前記データ処理ステップにおいて圧縮・暗号化されたデータを、送信部２６がファイル転送サーバー５０に送信する送信ステップ（ステップＳ６６）とを有する。
【０１３３】
ステップＳ６０では、検版依頼者２０が初校・再校データを入力する。
この初校・再校データは、例えば、図３に示すような初校画面７０と、初校画面７０の
間違いを訂正した再校画面７２が記述されている。再校画面７２においては、文字の追加（「高山」の追加）、書体の変更（「高山植物」の斜体から標準書体への変更、「目を楽しませてくれます。」のゴシック体から明朝体への変更）、写真原稿差し替え（左写真の変更）、写真位置の変更（右写真の花の位置の変更）が行われている。このような変更は、特に限定されず、通常の再校処理において行われる。このような初校データおよび再校データのフォーマット形式としては、１−ｂｉｔ Ｔｉｆｆ（Tagged Image File Format
）形式、Ｔｉｆｆ形式、ＰＤＦ（Portable Document Format）形式などが挙げられる。
【０１３４】
次いで、送信端末２２のディスプレイに表示された図８に示すような入力画面９０において、検版依頼者２０によって、初校データファイル９２と再校データファイル９４とが所定のフォルダに入力されると、ステップＳ６２に進む。このようなデータ入力は、例えば図８に示すように、マウスを用いてフォルダ９８上にファイル９２，９４をドラック＆ドロップすることにより行われる。
【０１３５】
ステップＳ６２では、情報データ作成部２４が、フォルダ９８を監視しており、検版依頼者２０により初校データファイル９２および再校データファイル９４が入力されると、これらのデータに関する情報を収集し、この情報および検版依頼者２０に付与された認識情報等を有する情報データを作成する。
【０１３６】
具体的には、初校データファイル９２と再校データファイル９４に関する情報とは、これらのファイルフォーマットや、ファイル名称などを挙げることができ、検版依頼者２０に付与された認識情報とは、クライアントＩＤなどを挙げることができる。この情報データは、例えば、テキストデータとして作成される。
【０１３７】
このような情報を有する情報データが作成されると、ステップＳ６４に進む。
ステップＳ６４では、ステップＳ６０で入力された初校データと再校データを、送信部２４が圧縮し、圧縮された初校・再校データをステップＳ６２で作成された情報データとともに暗号化する。
【０１３８】
本発明に実施態様においては、初校・再校データが圧縮・暗号化され、情報データが暗号化された態様において説明するが、特に限定されず、圧縮・暗号化されていない態様、圧縮のみされている態様、暗号化のみされている態様を何ら排除するものではない。
【０１３９】
圧縮は、通常の方法により行われ、そのような方法としては、例えば、ハフマン符号法、シャノンファノ符号法、Ｌｅｍｐｅｌ-Ｚｉｖ符号法、ＢＳＴＷ符号法、インターバル
符号法などを挙げることができる。一方、暗号化は、通常の方法により行われ、そのような方法としては、例えば慣用暗号方式、公開鍵暗号方式、秘密鍵暗号方式などを挙げることができる。
【０１４０】
このようにデータの圧縮・暗号化が行われるとステップＳ１６に進む。
ステップＳ６６では、送信部２６がステップＳ６４において圧縮・暗号化されたデータを、ネットワーク３０を介してファイル転送サーバー５０の保存部５２に送信（アップロード）する。この保存部５２は、検版依頼者２０ごとに設定されている。
【０１４１】
具体的には、送信部２６は、ファイル転送サーバー５０のアドレス、検版依頼者２０のユーザー名やパスワード、ファイル転送サーバー５０上のファイルを保存する入力データ保存部５２のパス（名前）などの情報を用いてファイル転送サーバー５０にアクセスし、圧縮・暗号化されたデータを保存部５２に送信（アップロード）する。
【０１４２】
このようにしてステップＳ６６が終了すると、送信端末２２におけるステップは終了し
、デジタル検版ＡＳＰ ４０のファイル転送サーバー５０におけるステップＳ７０に進む
。
【０１４３】
（ファイル転送サーバー５０）
図９に示すように、ファイル転送サーバー５０では、
前記ステップＳ６６においてアクセスした送信端末２２を介して、検版依頼者２０を認識するとともに、送信された圧縮・暗号化された初校・再校データを、検版依頼者ごとに保存する入力データ保存ステップ（ステップＳ７０）を有する。
【０１４４】
具体的には、送信部２６がアクセスしてきた際に、上記した検版依頼者２０のユーザー名やパスワード、ファイル転送サーバー５０上のファイルを保存する入力データ保存部５２のパス（名前）などの情報を確認し、その確認の結果、検版依頼者２０が認識されたときには、検版依頼者ごとに指定された入力データ保存部５２に圧縮・暗号化されたデータを保存する。
【０１４５】
一方、図示しないが、ファイル転送サーバー５０は、上記確認の結果、検版依頼者２０が認識されないときには、送信端末２２にその旨通知するように構成されていることが好ましい。
【０１４６】
このようにしてステップＳ７０が終了すると、送信端末２２におけるステップは終了し、デジタル検版ＡＳＰ ４０のデジタル検査装置６０におけるステップＳ８０に進む。
（デジタル検査装置６０）
図１０に示すように、デジタル検査装置６０では、
ファイル転送サーバー５０の入力データ保存部５２に圧縮・暗号化されたデータが保存されると、このデータを取得するデータ取得ステップ（ステップＳ８０）と、
その圧縮・暗号化されたデータを伸張・復号化するデータ復元ステップ（ステップＳ８２）と、
データ復元ステップで伸張・復号化されたデータから所定のログデータを作成するログデータ作成ステップ（ステップＳ８４）と、
ログデータ作成ステップにおいて、ログデータが作成されると、前記データ復元ステップで伸張・復号化したデータをデジタル画像データに変換するデータ変換ステップ（ステップＳ８６）と、
データ変換ステップでデジタル画像データに変換された初校・再校データの検査を行うための所定の情報が記載された指示データを作成する指示データ作成ステップ（ステップＳ８８）と、
前記指示データ作成ステップにおいて作成された指示データに基づいて、デジタル初校データとデジタル再校データとを検査して、その検査結果を検査結果データとして作成する画像検査ステップ（ステップＳ９０）と、
画像検査ステップにおいて検査結果データが作成されると、このデータを圧縮し暗号化するデータ処理ステップ（ステップＳ９２）と、
データ処理ステップにおいて圧縮・暗号化された検査結果データをファイル転送サーバー５０に送信するとともに、デジタル検版の動作履歴情報を有する検版作業ログデータを作成する検査結果データ送信ステップ（ステップＳ９４）とを有する。
【０１４７】
さらに、このような一連のデジタル検版を行った際に作成される所定のログデータに基づき、検版依頼者２０ごとにログデータを作成する検版依頼者別ログデータ作成ステップ（ステップＳ９６）と、
前記検版依頼者別ログデータ作成ステップにおいて作成された検版依頼者別ログデータをファイル転送サーバー５０に送信する送信ステップ（ステップＳ９８）と、
前記検版依頼者別ログデータ作成ステップにおいて作成された検版依頼者別ログデータ
に基づき課金データの作成を行う課金データ作成ステップ（ステップＳ１００）と、
前記課金データ作成ステップにおいて作成された課金データをファイル転送サーバー５０に送信する送信ステップ（ステップＳ１０２）とを有する。
【０１４８】
以下、図６に記載のフローチャートを参照しながら説明する。
図６においてステップＳ８０では、入力データ保存部５２に圧縮・暗号化されたデータが保存されると、データ取得変換部６２がこのデータを取得する。
【０１４９】
具体的には、データ取得変換部６２が、ファイル転送サーバー５０の入力データ保存部５２を監視しており、処理データ保存ステップ（ステップＳ２０）において保存された圧縮・暗号化されたデータを確認するとこのデータを取得し、ステップＳ８２に進む。
【０１５０】
ステップＳ８２では、ステップＳ８０において取得された圧縮・暗号化されたデータを、伸張・復号化する。
具体的には、ステップＳ６４において送信部２６が行った、圧縮法、暗号化法に対応した伸張法、復号化法により、データ取得変換部６２がデータを伸張・復号化する。このデータの復号化は、暗号化法の違いにより、送信部２６とデータ取得変換部６２とでは用いる「鍵」が異なる場合がある。具体的には、暗号化法が慣用暗号方式、秘密鍵暗号方式である場合には、送信部２６とデータ取得変換部６２とでは用いる「鍵」が同一であり、公開鍵暗号方式においては、送信部２６とデータ取得変換部６２とでは用いる「鍵」が異なる。このように暗号化法に対応した「鍵」により、データが伸張・復号化され、初校データ、再校データ、情報データが生成する。
【０１５１】
このようにデータの伸張・復号化が行われるとステップＳ８４に進む。
ステップＳ８４では、ステップＳ８２において伸張・復号化されたデータから所定のログデータを作成する。
【０１５２】
具体的には、データ取得変換部６２が、伸張・復号化された情報データから、ログデータを作成する。このログデータには、アップロード日時（年、月、日、時、分、秒）、クライアントＩＤ，クライアント名、初校データ名、再校データ名などが記録されている。また、データ取得変換部６２は、情報データからログデータを作成するとともに、情報データに記載のクライアントＩＤを用いて、入力データ保存部５２との照合を行うことが好ましい。これにより、検版依頼者２０の確認を行うことができる。なお、このログデータは、後述する検版依頼者別ログデータ作成ステップ（ステップＳ９６）において用いられる。
【０１５３】
このようにログデータを作成すると、ステップＳ８６に進む。
ステップＳ８６では、ステップＳ８２において伸張・復号化した初校・再校データをデジタル画像データに変換する。
【０１５４】
具体的には、まず、データ取得変換部６２が情報データに記載されたフォーマット形式を基にしてデータの仕分けを行う。初校・再校データは、上記したように１−ｂｉｔ Ｔ
ｉｆｆ（Tagged Image File Format）形式、Ｔｉｆｆ形式、ＰＤＦ（Portable Document Format）形式などの所定のフォーマット形式で作成されている。データが１−ｂｉｔ Ｔ
ｉｆｆ形式またはＰＤＦ形式で作成されている場合には、データフォーマットの変換を行い、デジタル画像データであるＴｉｆｆ形式に変換する。なお、初校・再校データがＴｉｆｆ形式で作成されている場合は、データフォーマットの変換は行われない。
【０１５５】
このように伸張・復号化した初校・再校データをデジタル画像データに変換すると、ステップＳ８８に進む。
ステップＳ８８では、ステップＳ８６においてデジタル画像データに変換されたデジタル初校データとデジタル再校データとの検査を行うための所定の指示データを作成する。
【０１５６】
具体的には、データ取得変換部６２が、デジタル初校データおよびデジタル再校データのそれぞれのファイル名称、後述する検査結果のファイル名称、検査結果データの保存先情報などが記述された指示データを作成する。指示データが作成されると、ステップＳ９０に進む。
【０１５７】
ステップＳ９０では、ステップＳ８８において作成された指示データに基づいて、画像検査送信部６４が、デジタル初校データとデジタル再校データとを検査して、その検査結果を検査結果データとして作成する。デジタル初校データとデジタル再校データとの検査は、特に限定されず、従来公知の方法により行うことができる。
【０１５８】
このように検査結果データを作成すると、ステップＳ９２に進む。
ステップＳ９２では、ステップＳ８８において作成された検査結果データを、画像検査送信部６４が圧縮し暗号化する。圧縮法および暗号化法は、ステップＳ６４における方法と同様であり、検査結果データが圧縮・暗号化されると、ステップＳ９４に進む。
【０１５９】
なお、本発明に実施態様においては、検査結果データが圧縮・暗号化された態様において説明するが、特に限定されず、圧縮・暗号化されていない態様、圧縮のみされている態様、暗号化のみされている態様を何ら排除するものではない。
【０１６０】
ステップＳ９４では、ステップＳ９２において圧縮・暗号化された検査結果データをファイル転送サーバー５０に送信するとともに、所定の検版作業ログデータを作成する。
具体的には、画像検査送信部６４が、ステップＳ８８において作成された指示データに記載の「検査結果データの保存先情報」に基づいて、圧縮・暗号化された検査結果データを、ファイル転送サーバー５０の処理データ保存部５４に送信する。さらに、画像検査送信部６４は、デジタル検査装置６０における上述のデジタル検版における動作履歴情報を取得し、検版作業ログデータを作成する。
【０１６１】
このようにデジタル検査装置６０においては、デジタル検版処理を行うともに、さらに検版依頼者２０への課金のための処理（ステップＳ９６〜Ｓ１０２）を行う。
ステップＳ９６では、ステップＳ８４において作成されたログデータと、ステップＳ９４において作成された検版作業ログデータとに基づき、検版依頼者２０ごとにログデータを作成する。
【０１６２】
具体的には、検版依頼者別ログデータ作成部６６が、クライアントＩＤ、検版処理日時（年、月、日、時、分、秒）、検版処理後の画像ファイル名、検版処理後の画像ファイル保存先、検版処理状況（正常終了、エラー終了）、ログデータの保存先情報などが記述された検版依頼者別ログデータを作成する。このログデータは、例えばＨＴＭＬ（Hyper Text Markup Language）フォーマット形式で作成される。このような形式で作成することにより、検版依頼者２０側での取り扱いが容易であるため好ましい。このような検版依頼者別ログデータが作成されるとステップＳ９８に進む。一方で、この検版依頼者別ログデータをデジタル検査装置６０の検版依頼者２０ごとに指定された保存部（図示せず）に保存する。保存された検版依頼者別ログデータは、後述するステップＳ１００において用いられる。
【０１６３】
ステップＳ９８では、ステップＳ９６において作成された検版依頼者別ログデータをファイル転送サーバー５０に送信する。
具体的には、検版依頼者別ログデータ作成部６６が、検版依頼者別ログデータに記載さ
れた「ログデータの保存先情報」に基づき、ログデータをファイル転送サーバー５０の指定された処理データ保存部５４に送信する。
【０１６４】
一方、ステップＳ１００では、ステップＳ９６において作成された検版依頼者別ログデータに基づき課金データの作成を行う。
具体的には、課金部６８が、デジタル検査装置６０の指定フォルダに保存されている検版依頼者別ログデータを取得し、ログデータに記載された、検版依頼者２０から受信したデータの種類ごとにデジタル検版処理件数を集計し、金額を算出して、課金データの作成を行う。このとき検版依頼者別ログデータから、所定の情報、例えばログデータの保存先情報なども取得し、課金データに記述する。課金データの作成が行われると、ステップＳ１０２に進む。
【０１６５】
ステップＳ１０２では、ステップＳ１００において作成された課金データをファイル転送サーバー５０に送信する。
具体的には、課金部６８が、課金データに記載された「ログデータの保存先情報」に基づき、ログデータをファイル転送サーバー５０の指定された処理データ保存部５４に送信する。
【０１６６】
上述のようにして、
ステップＳ９４において圧縮・暗号化された検査結果データをファイル転送サーバー５０に送信し、
ステップＳ９８において検版依頼者別ログデータをファイル転送サーバー５０に送信し、
ステップＳ１０２において課金データをファイル転送サーバー５０に送信すると、
デジタル検査装置６０におけるステップは終了し、ファイル転送サーバー５０におけるステップＳ１１０に進む。
【０１６７】
（ファイル転送サーバー５０）
図１１に示すように、ファイル転送サーバー５０では、
デジタル検査装置６０から送信された圧縮・暗号化された検査結果データと、検版依頼者別ログデータと、課金データとを、検版依頼者ごとに保存する処理データ保存ステップ（ステップＳ１１０）を有する。
【０１６８】
具体的には、検査結果データと、検版依頼者別ログデータと、課金データとに記載された、ログデータの保存先などの情報を確認し、その確認の結果、保存先が存在すると判断したときには、検版依頼者ごとに指定された処理データ保存部５４にデータを保存する。
【０１６９】
一方、図示しないが、ファイル転送サーバー５０は、上記確認の結果、保存先が存在しないと判断したときには、デジタル検査装置６０にその旨通知するように構成されていることが好ましい。
【０１７０】
このようにしてステップＳ１１０が終了すると、ファイル転送サーバー５０におけるステップは終了し、受信端末２７におけるステップＳ１２０に進む。
（受信端末２７）
図１２に示すように、受信端末２７では、
ファイル転送サーバーに保存された検査結果データを取得する処理データ取得ステップ（ステップＳ１２０）と、
取得した圧縮・暗号化されたデータを伸張・復号化するデータ復元ステップ（ステップＳ１２２）とを有する。
【０１７１】
図１２においてステップＳ１２０では、データ取得部２９はファイル転送サーバー５０を監視しており、入力データ保存部５２に圧縮・暗号化されたデータが保存されると、このデータを取得する。データを取得するとステップＳ１２２に進む。
【０１７２】
ステップＳ１２２では、ステップＳ１２０において取得された圧縮・暗号化されたデータを、伸張・復号化する。
具体的には、ステップＳ９２において画像検査送信部６４が行った、圧縮法、暗号化法に対応した伸張法、復号化法により、データ取得部２９がデータを伸張・復号化する。このデータの復号化は、暗号化法の違いにより、画像検査送信部６４とデータ取得部２９とでは用いる「鍵」が異なる場合がある。具体的には、暗号化法が慣用暗号方式、秘密鍵暗号方式である場合には、画像検査送信部６４とデータ取得部２９とでは用いる「鍵」が同一であり、公開鍵暗号方式においては、画像検査送信部６４とデータ取得部２９とでは用いる「鍵」が異なる。このように暗号化法に対応した「鍵」により、データが伸張・復号化され、検査結果データ、検版依頼者別ログデータ、課金データが生成する。
【０１７３】
この検査結果データには、具体的には、図３に示す初校画像７０と再校画像７２とが検査された結果である検版結果画像が記述されており、検版画像には検版依頼者２０が容易に認識できるように訂正箇所が表示されている。例えば、図６に示すような検版結果画像８０が記述されており、文字の追加部分８２、書体の変更部分８４，８４、写真原稿差し替え部分８６、写真位置の変更部分８８を検版依頼者２０が容易に認識できるように変更箇所が枠（例えば、赤枠）で囲まれている。
【０１７４】
このように、受信端末２７において、データの伸張・復号化が行われると、本発明に係るネットワークを介したデジタル検版は終了する。
その後、検版依頼者２０は、受信端末２７に備えられた印刷などを行う画像出力部、ディスプレイなどの表示部を介して図９に示すような検版結果画像９０を出力または表示させ、デジタル検版による検査結果をチェックし、再校データにおける訂正漏れや訂正ミス、さらに訂正を指示した以外の箇所が修正されていることなどを容易に確認することができる。さらに、検版依頼者別ログデータおよび課金データを出力または表示させることにより、処理状況（履歴）、請求金額を確認することもできる。
【０１７５】
以上、本発明の好ましい実施例を説明したが、本発明はこれに限定されることはなく、本発明の目的を逸脱しない範囲で種々の変更が可能である。
【図面の簡単な説明】
【０１７６】
【図１−１】図１−１は、本発明に係るデジタル検版ＡＳＰシステムの第１の実施態様を示すブロック図である。
【図１−２】図１−２は、本発明に係るデジタル検版ＡＳＰシステムの第２の実施態様を示すブロック図である。
【図２】図２は、本発明に係るネットワークを介したデジタル検版方法の第１の実施態様における、ファイル転送サーバーでのフローチャートである。
【図３】図３（ａ）は、初校データに記述された初校画面の概略図であり、図３（ｂ）は、再校データに記述された再校画面の概略図である。
【図４】図４は、本発明に係るネットワークを介したデジタル検版方法の第１の実施態様における、デジタル検査装置でのフローチャートである。
【図５】図５は、本発明に係るネットワークを介したデジタル検版方法の第１の実施態様における、ファイル転送サーバーでのフローチャートである。
【図６】図６は、本発明に係るネットワークを介したデジタル検版方法において、検査結果データに記述された検版結果画像を示す概略図である。
【図７】図７は、本発明に係るネットワークを介したデジタル検版方法の第２の実施態様における、送信端末でのフローチャートである。
【図８】図８は、送信端末のディスプレイに表示された入力画面の概略図である。
【図９】図９は、本発明に係るネットワークを介したデジタル検版方法の第２の実施態様における、ファイル転送サーバーでのフローチャートである。
【図１０】図１０は、本発明に係るネットワークを介したデジタル検版方法の第２の実施態様における、デジタル検査装置でのフローチャートである。
【図１１】図１１は、本発明に係るネットワークを介したデジタル検版方法の第２の実施態様における、ファイル転送サーバーでのフローチャートである。
【図１２】図１２は、本発明に係るネットワークを介したデジタル検版方法の第２の実施態様における、受信端末でのフローチャートである。
【符号の説明】
【０１７７】
１０      デジタル検版ＡＳＰシステム
２０      検版依頼者
２２      送信端末
２３，２８，６１      制御部
２４      情報データ作成部
２６      送信部
２７      受信端末
２９      処理データ取得部
３０      ネットワーク
４０      デジタル検版ＡＳＰ
５０      ファイル転送サーバー
５２      入力データ保存部
５４      処理データ保存部
６０      デジタル検査装置
６２      データ取得変換部
６４      画像検査送信部
６６      検版依頼者別ログデータ作成部
６８      課金部
７０      初校画面
７２      再校画面
８０      検版結果画像
８２      文字の追加部分
８４      書体の変更部分
８６      写真原稿差し替え部分
８８      写真位置の変更部分
９０      入力画面
９２      初校データファイル
９４      再校データファイル
９８      フォルダ
【図１−１】
2006023811.tif 000003
【図１−２】
2006023811.tif 000004
【図２】
2006023811.tif 000005
【図３】
2006023811.tif 000006
【図４】
2006023811.tif 000007
【図５】
2006023811.tif 000008
【図６】
2006023811.tif 000009
【図７】
2006023811.tif 000010
【図８】
2006023811.tif 000011
【図９】
2006023811.tif 000012
【図１０】
2006023811.tif 000013
【図１１】
2006023811.tif 000014
【図１２】
2006023811.tif 000015